(57)【要約】  無菌流体配送システムに用いられる多ボアの溶質カートリッジキャリア（１０）であって、無菌流体配送システムに接続される回転ハウジング（１２）を含む多ボアの溶質カートリッジキャリアである。回転ハウジングは、溶質カートリッジを受け取るように配置される１つまたは複数のボア（３０）を含む。回転ハウジングが無菌流体配送システムに接続されると、無菌流体配送システムからの滅菌水が溶質カートリッジを流れる時、所要の無菌溶液を生じるように、回転ハウジングは選択的に回転する。【選択図】図４
2018513778.tif 000002
【特許請求の範囲】
【請求項１】
無菌流体配送システムに用いられる多ボアの溶質カートリッジキャリアであって、
前記無菌流体配送システムに接続され、溶質カートリッジを受け取るように配置される１つまたは複数のボアを含む回転ハウジングを含み、
前記無菌流体配送システムは、水が前記溶質カートリッジを流れることで、所要の無菌溶液を生じるように配置される、多ボアの溶質カートリッジキャリア。
【請求項２】
前記回転ハウジングは、前記無菌流体配送システムに接続されると、所要の前記無菌溶液を生じるように選択的に回転する請求項１に記載の多ボアの溶質カートリッジキャリア。
【請求項３】
前記溶質カートリッジは、フレームと、前記フレームにより支持されるフィルターと、前記溶質カートリッジに収納される溶質とを含む請求項１に記載の多ボアの溶質カートリッジキャリア。
【請求項４】
前記溶質は薬剤である請求項３に記載の多ボアの溶質カートリッジキャリア。
【請求項５】
前記薬剤は抗生物質、抗菌剤と銀イオンのうちの少なくとも一種である請求項４に記載の多ボアの溶質カートリッジキャリア。
【請求項６】
前記回転ハウジングは中心軸線を含み、前記１つまたは複数のボアは前記中心軸線回りに周方向に配置される請求項１に記載の多ボアの溶質カートリッジキャリア。
【請求項７】
前記溶質は、ナトリウム、塩化物、乳酸塩、カリウム、カルシウムとブドウ糖の組合わせの１つである請求項３に記載の多ボアの溶質カートリッジキャリア。
【請求項８】
前記溶質カートリッジの前記フレームは、対応するボアを規定する内表面と一体的に形成される請求項３に記載の多ボアの溶質カートリッジキャリア。
【請求項９】
前記溶質カートリッジは個別に形成され、対応する１つの前記ボアから取り除き可能である請求項３に記載の多ボアの溶質カートリッジキャリア。
【請求項１０】
前記溶質カートリッジの端部はシール材により封止される請求項１に記載の多ボアの溶質カートリッジキャリア。
【請求項１１】
前記１つまたは複数のボアに排出ポートが設けられている請求項１に記載の多ボアの溶質カートリッジキャリア。
【請求項１２】
前記回転ハウジングの全体はシール材により覆われ、前記多ボアの溶質カートリッジキャリアが前記無菌流体配送システムにより使い捨てられる請求項１に記載の多ボアの溶質カートリッジキャリア。
【請求項１３】
前記フィルターは、１０ミクロンから１００ミクロンまでの固体を濾過するように設計される請求項３に記載の多ボアの溶質カートリッジキャリア。
【請求項１４】
無菌流体配送システムに用いられる多ボアの溶質カートリッジキャリアであって、
前記無菌流体配送システムに接続され、溶質カートリッジを受け取るように配置される１つまたは複数のボアを含む回転ハウジングを含み、
前記無菌流体配送システムは、水が前記溶質カートリッジを流れることで、所要の無菌溶液を生じるように配置され、
前記回転ハウジングは、中心軸線を含み、前記１つまたは複数のボアは前記中心軸線回りに周方向に配置される多ボアの溶質カートリッジキャリア。
【請求項１５】
無菌流体配送システムに用いられる多ボアの溶質カートリッジキャリアであって、
前記無菌流体配送システムに接続され、溶質カートリッジを受け取るように配置される１つまたは複数のボアを含む回転ハウジングを含み、
前記無菌流体配送システムは、水が前記溶質カートリッジを流れることで、所要の無菌溶液を生じるように配置され、
前記回転ハウジングは中心軸線を含み、前記１つまたは複数のボアは前記中心軸線に回りに周方向に配置され、
前記溶質カートリッジは、フレームと、前記フレームにより支持されるフィルターと、前記溶質カートリッジの中に収納される溶質とを含み、
前記溶質カートリッジは個別に形成され、対応する１つの前記ボアから取り除き可能である多ボアの溶質カートリッジキャリア。
【発明の詳細な説明】
【技術分野】
【０００１】
（関連出願の相互参照）                                                                                                
本願は、２０１５年３月１３日に出願された米国仮特許出願第６２／１３２，５８９号及び２０１５年３月１３日に出願された米国仮特許出願第６２／１３２，６１８号の利益を主張し、それらの内容全体が参照により本明細書に援用される。
【０００２】
本発明は、無菌流体の生産に用いられる設備と方法に関し、具体的に、無菌流体配送システムに用いられる多ボアの溶質カートリッジキャリアに関する。
【背景技術】
【０００３】
医療分野では携帯型流体配送システムを使用することは公知である。流体配送システムを使用することにより、浄化水、滅菌水、塩化ナトリウム溶液または医療処置（たとえば手術）に必要な他の任意の流体を分配することができる。通常の携帯型流体配送システムは１つまたは複数の容器（通常、袋である）に依存して無菌流体を供給する。ところで、袋の貯蔵と輸送は面倒になるおそれがある。また、いくつかの医療処置には、袋によって供給可能な無菌流体よりも多くの体積の無菌液体が必要であることが一般である。
【発明の概要】
【発明が解決しようとする課題】
【０００４】
本発明は、無菌流体の生産に用いられる設備と方法に関し、具体的に、無菌流体配送システムに用いられる多ボアの溶質カートリッジキャリアに関する。
【課題を解決するための手段】
【０００５】
本発明の一態様によれば、無菌流体配送システムに用いられる多ボアの溶質カートリッジキャリアであって、無菌流体配送システムに接続される回転ハウジングを含む多ボアの溶質カートリッジキャリアである。回転ハウジングは、溶質カートリッジを受け取るように配置される１つまたは複数のボアを含む。回転ハウジングが無菌流体配送システムに接続されると、無菌流体配送システムからの滅菌水が溶質カートリッジを流れる時に所要の無菌溶液を生じるように、回転ハウジングは選択的に回転する。
【０００６】
本発明の他の態様によれば、無菌流体配送システムに用いられる多ボアの溶質カートリッジキャリアであって、無菌流体配送システムに接続される回転ハウジングを含む多ボアの溶質カートリッジキャリアである。回転ハウジングは、溶質カートリッジを受け取るように配置される１つまたは複数のボアを含む。回転ハウジングが無菌流体配送システムに接続されると、無菌流体配送システムからの滅菌水が溶質カートリッジを流れる時に所要の無菌溶液を生じるように、回転ハウジングは選択的に回転する。回転ハウジングは中心軸線を含み、前記１つまたは複数のボアは中心軸線回りに周方向に配置される。
【０００７】
本発明の他の態様によれば、無菌流体配送システムに用いられる多ボアの溶質カートリッジキャリアであって、無菌流体配送システムに接続される回転ハウジングを含む多ボアの溶質カートリッジキャリアである。回転ハウジングは、溶質カートリッジを受け取るように配置される１つまたは複数のボアを含む。回転ハウジングが無菌流体配送システムに接続されると、無菌流体配送システムからの滅菌水が溶質カートリッジを流れる時に所要の無菌溶液を生じるように、回転ハウジングは選択的に回転する。回転ハウジングは中心軸線を含み、前記１つまたは複数のボアは中心軸線回りに周方向に配置される。溶質カートリッジは、フレーム、フレームにより支持されるフィルター及び溶質カートリッジに収納される溶質を含む。溶質カートリッジは個別に形成され、対応する１つのボアから取り除き可能である。
【図面の簡単な説明】
【０００８】
添付図面を参照しながら下記の記述を読むと、当業者にとって、本発明の前記特性及びその他の特性、並びにその利点が自明になる。
【図１】本発明の一態様にかかる無菌流体配送システムに適用される使い捨ての多ボアの溶質カートリッジキャリアのイメージである。
【図２】図１の多ボアの溶質カートリッジキャリアが適用される無菌流体配送システムを示す斜視図である。
【図３】図２の無菌流体配送システムを示す部分詳細図である。
【図４】図１に示す多ボアの溶質カートリッジキャリアの斜視断面図である。
【図５】図１の多ボアの溶質カートリッジキャリアのシングルのボアの斜視断面図である。
【図６】図１の多ボアの溶質カートリッジキャリアに使用されるシングルの溶質カートリッジの斜視断面図である。
【図７】本発明の他の態様にかかる溶質カートリッジキャリアの斜視図である。
【発明を実施するための形態】
【０００９】
定義
別途に定義しない限り、本明細書に使用される技術用語と科学用語の全ては、本発明が属する技術分野の当業者に通常理解されるものと同じ意味を有する。
【００１０】
上下文に別途に明示しない限り、本明細書において、単数形式の「１個」、「１種」及び「当該」は複数形式を含むことができる。更に理解する必要があることは、本明細書における「含む」及び／又は「包含する」とは、特徴、ステップ、操作、素子及び／又は部材の存在を明示することができるが、１つまたは複数の他の特徴、ステップ、操作、素子、部材および／またはその組み合わせの存在または添加を排除しない。
【００１１】
本明細書における「及び／又は」は、１つまたは複数の関連的に列記される項目のいずれか、及びすべての組み合わせを含むことができる。
【００１２】
本明細書における「ＸとＹの間に」と「約ＸとＹの間に」という表現について、ＸとＹを含む、と理解することができる。
【００１３】
本明細書における「約ＸとＹの間に」という表現について、「約Ｘと約Ｙの間に」を表することができる。
【００１４】
本明細書における「約ＸからＹまで」という表現について、「約Ｘから約Ｙまで」を表することができる。
【００１５】
素子が、「他方の素子の上にある」、他方の素子に「付ける」、他方の素子に「接続する」、他方の素子に「結合する」、他方の素子に「接触する」というような表現を言及する場合に、その素子が直接的に、他方の素子の上にあり、他方の素子に付け、他方の素子に接続し、他方の素子に結合し、他方の素子に接触してもよく、或いは介在素子が存在してもよい、と理解すべきである。逆に、素子が、例えば「直接に他方の素子の上にある」、他方の素子に「直接に付ける」、他方の素子に「直接に接続する」、他方の素子に「直接に結合する」、或いは他方の素子に「直接に接触する」というような表現を言及する場合に、介在素子が存在しない。当業者は、別の特徴「に隣接する」構造や特徴を言及する場合に、その構造や特徴が、隣接する特徴に重なる部分またはその下にある部分を備えることを理解すべきである。
【００１６】
本明細書において、図面に示す一の素子や特徴と、他の素子や特徴との関係を説明するために、例えば、「…の下に」、「…の下方に」、「…よりも低い」、「…の上方に」、「…の上に」というような空間での相対位置の表現を使うことができる。図面に示す向き以外に、空間での相対位置の表現は、使用中や操作中の装置の異なる向きも含むことを理解すべきである。例えば、図面における装置が反転されると、「他の素子や特徴の下に」或いは「他の素子や特徴の下方に」と記載されていた素子は、「他の素子や特徴の上方に」、となるように、方向が決定される。
【００１７】
ここで、「第１」、「第２」というような表現で各種素子を記述することができるが、これらの素子はこれらの用語に制限されていないことを理解すべきである。これらの用語は一の素子と他の素子を区分するために用いられることに過ぎない。従って、本発明の範囲から逸脱しない限り、以下の「第１」の素子は、「第２」の素子と呼ばれてもよい。別途に指摘がない限り、操作（またはステップ）の手順は、特許請求の範囲や図面に示す手順に限らない。
【００１８】
概要
本発明は、無菌流体の生産に用いられる設備と方法に関し、具体的に、無菌流体配送システムに用いられる多ボアの溶質カートリッジキャリアに関する。本発明の多ボアの溶質カートリッジキャリア１０（図１）及び無菌流体配送システム（図２、図３）は溶質を貯留し無菌流体溶液を分配する、安定かつ便利な方法を好適に提供する。溶質の供給を補充するように、多ボアの溶質カートリッジキャリア１０（図１）を手軽に素早く交換することが可能であり、通常の携帯式流体配送システムに関する、例えば流体の供給の制限、液体袋の輸送及び貯蔵などの欠点が克服される。また、多ボアの溶質カートリッジキャリア１０の交換可能及び／又は取替え可能という簡易性及び素早さにより、ユーザーが、異なる所要の溶質の間で簡単に変わることができる。
【００１９】
無菌流体配送システム
無菌流体配送システム７０は、必要に応じて無菌流体および／または溶液を配送するためのものである。無菌流体配送システム７０は、各種用途、例えば、医療及び／または家庭用に適用されるように構成されることができる。無菌流体配送システム７０は、無菌流体配送システム７０の部材を囲むように配置されるハウジング８４を含むことができ、無菌流体配送システム７０の部材は、流体導管（図示せず）と、浄化および／または滅菌機構（図示せず）と、コントローラー８６とを含むが、これらに限らない。ハウジング８４は、金属、金属の合金、プラスチック（例えば、ポリエチレンテレフタレート、高密度ポリエチレン、ポリ塩化ビニール）或いはそれらの組み合わせから構成されることができる。無菌流体配送システム７０の輸送に寄与するように、ハウジング８４には複数の輪８８が設けられることができる。
【００２０】
流体導管は、流体を外部の流体源（図示せず）（例えば、壁出口）から浄化及び／又は滅菌機構に輸送するように配置されることができる。流体導管の一端は外部の流体源（例えば、壁出口ポート）に合わせることができる。或いは、無菌流体配送システム７０は、外部の流体源に付けせず、内部の流体源に合わせてもよい。内部の流体源（図示せず）は、無菌流体配送システム７０を外部の流体源に近い位置に制限せず、いかなる所望の位置に移動させることができる点で有利である。１つの例において、浄化及び／又は滅菌機構は、Ｐａｒｋｅｒ  Ｈａｎｎｉｆｉｎ会社（Ｃｌｅｖｅｌａｎｄ，ＯＨ）が市販したタイプのフィルター（例えば、Ｆｌｕｆｌｏ  Ｈｏｎｅｙｃｏｍｂ  Ｆｉｌｔｅｒ  Ｃａｒｔｒｉｄｇｅ，部材番号：Ｍ１９Ｒ１０Ａ−ＲＳ）であってもよい。
【００２１】
コントローラー８６は、無菌流体配送システム７０の１つまたは複数の操作、例えば、流体の流れや流体の温度、流体の濃度などをコマンドするように配置されることができる。コントローラー８６は、無菌流体配送システム７０の１つまたは複数の部材と電気的に通信する。コントローラー８６は各種の電気部材（例えば、マイクロプロセッサやメモリー、電源など）を含むことができる。コントローラー８６は、無菌流体配送システム７０を制御するように配置される各種のソフトウェアプログラムも含むことができる。ソフトウェアプログラムは、例えば、パーソナライズ可能なまたはプリセットの制御設定を含む医師専用またはプログラム専用のプロファイルを含むことができる。コントローラー８６は、ハウジング８４のトップ部或いは他の適切な位置に位置することができる。コントローラー８６は、無菌流体配送システム７０の１つまたは複数の部材と電気的に通信する。
【００２２】
１つの実施例において、無菌流体配送システム７０は、２０１５年３月１３日に出願された米国仮特許出願第６２／１３２，６１８号に開示されているもののように構成され、当該出願の内容全体が引用により本明細書に組み合わせる。
【００２３】
多ボアの溶質カートリッジキャリア
本発明の一態様ににかかる多ボアの溶質カートリッジキャリア１０（図１）は、無菌流体配送システム７０に用いられる回転ハウジング１２（図２、図３）を含む。回転ハウジング１２は略Ｏ型であってもよいが、他の形状であってもよい。回転ハウジング１２は、金属、金属の合金、プラスチック（例えば、ポリエチレンテレフタレート、高密度ポリエチレン、ポリ塩化ビニール）或いはそれらの組み合わせから構成されることができる。
【００２４】
図４を参考すると、回転ハウジング１２は、内壁２０、外壁２２、対向する第１と第２の面１４、１６及び中心軸線１８により規定される。回転ハウジング１２の第１の面１４は、１つまたは複数の回転伝動素子５０を含むことができる。回転伝動素子５０は、回転ハウジング１２の中心軸線１８回りに、周方向に相互に等距離で配置されることができる。回転伝動素子５０は、回転運動を無菌流体配送システム７０から多ボアの溶質カートリッジキャリア１０に伝送することにより、多ボアの溶質カートリッジキャリア１０が無菌流体配送システム７０に対し回転可能に配置される。
【００２５】
回転ハウジング１２は、第１と第２の面１４、１６の間に延ばす１つまたは複数のボア３０を含むことができる。ボア３０は、相互に等距離を隔て中心軸線１８回りに周方向に配置されることができる。１つの実施例において、回転ハウジング１２は６つのボア３０を含むことができる。各ボア３０（図５）は中心軸線３２に沿って充填端３４と排出端３６の間に延ばす。各ボア３０の中心軸線３２は、回転ハウジング１２の中心軸線１８に略平行に延ばす。各ボア３０は、少なくとも部分的に略円筒形の内壁表面３７により規定される。充填端３４は回転ハウジング１２の第１の面１４における略円形の開口により規定される。排出ポート３８は排出端３６に位置する。排出ポート３８が中心軸線３２に対して同軸に延ばして回転ハウジング１２の第２の面１６を貫通することにより、排出ポート３８、ボア３０の内部容積４０及び充填端３４は、いずれも相互に流体的に連通する状態にある。
【００２６】
各ボア３０は、溶質カートリッジ４１（図６）を受け取るように配置され、溶質カートリッジ４１は、対応するボア３０から取り除き可能である。各溶質カートリッジ４１は、対応するボアに独立して個別に形成されるが、いくつかの状況で、溶質カートリッジ４２は、溶質カートリッジ４２の取り除きが不可能になるように、対応するボア３０の内壁表面３７と一体的に形成されてもよい。各溶質カートリッジ４１は、フィルター４４を支持するフレーム４２を含む。フレーム４２のサイズは、ボア３０の内部のサイズと等しい（或いは、略等しい）。フレーム４２は、金属、金属の合金、プラスチック（例えば、ポリエチレンテレフタレート、高密度ポリエチレン、ポリ塩化ビニール）或いはそれらの組み合わせから構成されることができる。
【００２７】
フィルター４４は、フレーム４２の底部に設けられ、且つ溶質カートリッジ４１がボア内にある時、フィルター４４はボア３０の排出端３６に位置する。フィルター４４は複数の開口を有するメッシュを含むことができ、各開口は、５０ミクロンよりも小さい（例えば、３０ミクロンよりも小さい）ような、約１０〜１００ミクロンの直径を有する。各溶質カートリッジ４１は、溶質４６（例えば、塩化ナトリウム）を収納するように配置される。溶質カートリッジ４１内に収納可能な他の溶質の例として、乳酸塩やカリウム、カルシウム、ブドウ糖などを含むことができる。また、溶質カートリッジ４１は、薬剤（例えば、抗生物質、抗菌剤、銀イオンなど）を収納するように配置されてもよい。
【００２８】
シール材５２は、各ボア３０の充填端３４を密閉し封止することにより、各ボア３０の内部容積４０を外部環境から隔絶させる。図１に示す構造において、１つのシール材５２を提供し、全てのボア３０を封止する。１つのシール材５２は、回転ハウジング１２の第１の面１４全体に亘って延ばす。ところで、ボア３０毎に１つのシール材５２を配置することができることを理解すべきである。図１に示す構造において、例えば独立のシール材５２が６つ設けられ、ボア３０毎がそのうちの１つのシール材により封止される。いくつかの状況で、シール材５２は金属箔からなる。金属箔は、無菌流体配送システム７０の操作期間に、突き刺されてることができる。その他の材料によりシール材５２を形成することができると予期する。例えば、シール材５２は、複数の自己封止スリットを有するゴムフィルムにより作成されてもよい。無菌流体配送システム７０のある部材はこれらの自己封止スリットによって選択的に延ばすことができる。
【００２９】
一方、多ボアの溶質カートリッジキャリア１０は、１つまたは複数の溶質カートリッジ４１に関連付ける１つまたは複数の無線周波数識別（ＲＦＩＤ：Ｒａｄｉｏ  Ｆｒｅｑｕｅｎｃｙ  Ｉｄｅｎｔｉｆｉｃａｔｉｏｎ）ラベルを含むことができる。ＲＦＩＤラベルは、無菌流体配送システム７０のコントローラー８６と通信することにより、各溶質カートリッジ４１の溶質含有量を指示することができる。無菌流体配送システム７０は、溶質カートリッジ４１の物理特性（例えば、色、重量及び／またはサイズなど）をセンシングすることにより、溶質カートリッジ４１の溶質含有量を確定してもよい。それに加え、または、その代わりに、ＲＦＩＤラベルが無菌流体配送システム７０の理想な操作パラメータ（例えば、温度、流速など）に関する情報を提供することにより、溶液の生産を最適化することができる。
【００３０】
一方、溶質カートリッジキャリア２００（図７）は、基本的に長方形のハウジング２０２にすることができる。ハウジング２０２は、図６に示すタイプの複数のカートリッジ３０ａ〜３０ｅを収納するように配置される内部空間を規定することができる。溶質カートリッジキャリア２００は、第１の端２０４と、第２の端２０６と、第１の端にある操作セクション２０８とを有することができる。操作セクション２０８は処分ドア（図示せず）を含むことできる。
【００３１】
使用中、カートリッジ３０は、第２の端２０６において溶質カートリッジキャリア２００内に取り付けられることができる。無菌流体配送システム７０は、操作セクション２０８に配置されているカートリッジ３０ａと相互作用することにより、所要の溶液を生じることができる。第１のカートリッジ３０ａにおける溶質が排出し切たときに、無菌流体配送システム７０は処分ドアを開いて、溶質が排出し切たカートリッジを第１の端２０４から排出し、第２のカートリッジ３０ｂを操作セクション２０８内にプッシュすることができる。
【００３２】
使用方法
以下、無菌流体配送システム７０において多ボアの溶質カートリッジキャリア１０（図２、図３）により無菌流体溶液を生じることについて説明する。まず、無菌流体配送システム７０に設けられるドア７２を開いてカートリッジ保持領域７４を露出させる。ドア７２は、権限を授けることなくカートリッジ保持領域７４に入ることを防止するためのロック機能を有することができる。カートリッジ保持領域７４は、流体ノズル７６、排出ノズル（図示せず）及び回転伝動部材７８（図４）を含むことができる。多ボアの溶質カートリッジキャリア１０をカートリッジ保持領域７４内に入れて、回転伝動部材７８が回転伝動受け凹部５０に係合することにより、回転伝動部材７８に対して多ボアの溶質カートリッジキャリア１０を回転可能に固定する。この後、ドア７２が閉じられる。
【００３３】
無菌流体配送システム７０は駆動機構（図示せず）を含み、当該駆動機構は回転伝動部材７８を回転させ、且つ同様に多ボアの溶質カートリッジキャリア１０を回転ハウジング１２の中心軸線１８回りに回転させる。カートリッジ保持領域７４における排出ノズルが第１のボア３０ａの排出ポート３８に揃えるまで、多ボアの溶質カートリッジキャリア１０は回転する。排出ノズルが排出ポート３８に揃えることにより、流体ノズル７６を第１のボア３０ａの中心軸線３２にほぼ揃えることができる。そして、無菌流体配送システム７０は、流体ノズル７６を、第１のボア３０ａの充填端３４を覆うシール材５２を突き刺すように駆動する。これにより、流体ノズル７６は、第１のボア３０ａの内部容積４０内に位置し、溶質カートリッジ４８に流体的に連通する。流体ノズル７６がシール材５２を突き刺したと同時に、排出ノズルが差し入れ排出ポート３８に流体的に連通する。
【００３４】
次に、無菌流体配送システム７０は無菌流体（例えば、水）を流体ノズル７６に供給する。無菌流体を流体ノズル７６に供給する前に、無菌流体配送システム７０は無菌流体のいくつかの特性（例えば、温度、伝導性、病原数など）を調整することができる。無菌流体は流体ノズル７６から溶質カートリッジ４１に流入して溶質４６（例えば、塩化ナトリウム）を溶解することにより、無菌の塩化ナトリウム溶液を生じる。無菌の塩化ナトリウム溶液はフィルター４４を通してから排出ポート３８を介してボア３０ａから排出される。無菌の塩化ナトリウム溶液は排出ポート３８から流出し排出ノズルに受けられる。排出ノズルは流体的に無菌流体配送システム７０の付加の部材に連結され、必要に応じて無菌の塩化ナトリウム溶液を配送することができる。
【００３５】
最終的に、溶質カートリッジ４１における塩化ナトリウムが供給し切るようになって、このとき、更に無菌の塩化ナトリウム溶液が必要であれば、多ボアの溶質カートリッジキャリア１０を第１のボア３０ａから第２のボア３０ｂに転位しなければならない。得られた無菌の塩化ナトリウム溶液を監視して、溶液の濃度がいつ所要の濃度以下に下げるかを確定することにより、各溶質カートリッジ４８に含まれる塩化ナトリウムのレベルを確定することができる。あるいは、無菌流体配送システム７０は、各溶質カートリッジ４８が生産可能な溶液量に関する情報を提供してもよい。例えば、無菌流体配送システム７０は、プログラミングされることにより、一定体積の無菌の塩化ナトリウム溶液が生じたら、１つの溶質カートリッジ４１の塩化ナトリウム溶質４６が供給し切るようになると識別することができる。
【００３６】
多ボアの溶質カートリッジキャリア１０を第１のボア３０ａから第２のボア３０ｂに割り当てる必要があるとき、無菌流体配送システム７０は、流体ノズル７６への滅菌水の供給の停止を確保する。例えば、多ボアの溶質カートリッジキャリア１０は、コントローラー８６と通信し多ボアの溶質カートリッジキャリアの転位位置を指示する信号を送信する検出機構（図示せず）を含んでもよい。それに加え、または、その代わりに、検出機構は、多ボアの溶質カートリッジキャリア１０を交換する必要があるときに信号を送信してもよい。
【００３７】
次に、無菌流体配送システム７０は、第１のボア３０ａの内部容積４０から流体ノズル７６を引き戻すと同時に、排出ノズルと排出ポート３８との係合を解除する。そして、無菌流体配送システム７０は、第２のボア３０ｂの中心軸線３２が流体ノズル７６に揃えるまで、回転伝動部材７８を作動させ、多ボアの溶質カートリッジキャリア１０を回転させる。この時、上記操作を繰り返して追加の無菌流体溶液（例えば、無菌の塩化ナトリウム溶液）を作成することができる。
【００３８】
本明細書の上記記載により、当業者は、本明細書に対して様々な改良、変形及び変更を行うことができることを理解すべきである。例えば、無菌流体配送システム７０は、多ボアの溶質カートリッジキャリア１０を静止状態に保持するように配置され、多ボアの溶質カートリッジキャリア１０に対して排出ノズルと排出ポート３８を移動させることによりボア３０の間で転位してもよい。更なる例示として、無菌流体配送システム７０は、同時に複数のボア３０に合わせることにより同時に異なる溶液を生じるように配置される複数の排出ノズルと排出ポート３８を含んでもよい。無菌流体配送システム７０において異なる溶液を組み合わせ、必要に応じて所要の場所に配送することができる。これら改良、変形及び変更のすべては特許請求の範囲に含まれ、添付された請求の範囲によりカバーされることを意図する。本明細書にかかる全ての特許と特許出願は、引用により本明細書に組み合わせる。
【符号の説明】
【００３９】
１０…多ボアの溶質カートリッジキャリア、１２…回転ハウジング、１４…第１の面、１６…第２の面、１８…中心軸線、２０…内壁、２２…外壁、３０…ボア、３２…中心軸線、３４…充填端、３６…排出端、３７…内壁表面、３８…排出ポート、４０…内部容積、４１…溶質カートリッジ、４２…フレーム、４４…フィルター、５２……シール材、７０…無菌流体配送システム、７２…ドア、７４…カートリッジ保持領域、７６…流体ノズル、７８…回転伝動部材、８４…ハウジング、８６…コントローラー、２００…溶質カートリッジキャリア、２０２…ハウジング、２０４…第１の端、２０６…第２の端、２０８…操作セクション
【図１】
2018513778.tif 000003
【図２】
2018513778.tif 000004
【図３】
2018513778.tif 000005
【図４】
2018513778.tif 000006
【図５】
2018513778.tif 000007
【図６】
2018513778.tif 000008
【図７】
2018513778.tif 000009
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
無菌流体配送システムに用いられる多ボアの溶質カートリッジキャリアであって、
前記無菌流体配送システムに接続され、溶質カートリッジを受け取るように配置される１つまたは複数のボアを含む回転ハウジングを含み、
前記無菌流体配送システムは、水が前記溶質カートリッジを流れることで、所要の無菌溶液を生じるように配置される、多ボアの溶質カートリッジキャリア。
【請求項２】
前記回転ハウジングは、前記無菌流体配送システムに接続されると、所要の前記無菌溶液を生じるように選択的に回転する請求項１に記載の多ボアの溶質カートリッジキャリア。
【請求項３】
前記溶質カートリッジは、フレームと、前記フレームにより支持されるフィルターと、前記溶質カートリッジに収納される溶質とを含む請求項１に記載の多ボアの溶質カートリッジキャリア。
【請求項４】
前記回転ハウジングは中心軸線を含み、前記１つまたは複数のボアは前記中心軸線回りに周方向に配置される請求項１に記載の多ボアの溶質カートリッジキャリア。
【請求項５】
前記溶質カートリッジの前記フレームは、対応するボアを規定する内表面と一体的に形成される請求項３に記載の多ボアの溶質カートリッジキャリア。
【請求項６】
前記溶質カートリッジは個別に形成され、対応する１つの前記ボアから取り除き可能である請求項３に記載の多ボアの溶質カートリッジキャリア。
【請求項７】
前記溶質カートリッジの端部はシール材により封止される請求項１に記載の多ボアの溶質カートリッジキャリア。
【請求項８】
前記１つまたは複数のボアに排出ポートが設けられている請求項１に記載の多ボアの溶質カートリッジキャリア。
【請求項９】
前記回転ハウジングの全体はシール材により覆われ、前記多ボアの溶質カートリッジキャリアが前記無菌流体配送システムにより使い捨てられる請求項１に記載の多ボアの溶質カートリッジキャリア。
【請求項１０】
前記フィルターは、１０ミクロンから１００ミクロンまでの固体を濾過するように設計される請求項３に記載の多ボアの溶質カートリッジキャリア。
【国際調査報告】
2018513778.tif 000010
2018513778.tif 000011
2018513778.tif 000012